(57)【要約】      （修正有）【課題】中高層住宅等に設置されるプレキャストコンクリート製バルコニーの手摺取り付けが効率的かつ安全に行えるようにした仮設支柱を提供する。【解決手段】下端の固定ボルトを、プレキャストコンクリート製のバルコニー版１の手摺側排水溝内に形成された吊り治具が取り付けられていた雌ネジアンカー穴に螺着してバルコニー版１上に複数本の仮設支柱１０を立設する。仮設支柱１０の柱パイプの上部に設けた、つなぎ部材２１を介して、バルコニー版１上に仮置きされた本設手摺７の設置位置を保持させる。また、クランプ２２を介して手摺パイプ２３を仮設支柱１０に取り付けて仮設手摺とする。【選択図】図２
0003149454.tif 000002
【実用新案登録請求の範囲】
【請求項１】
下端の固定ボルトを、プレキャストコンクリート版の吊り治具が取り付けられた雌ネジアンカー穴に螺着して前記プレキャストコンクリート版上に複数本を立設して、調整部材を介して前記プレキャストコンクリート版上に仮置きされた本設手摺の設置位置を保持させるようにしたことを特徴とする手摺用仮設支柱。
【請求項２】
雌ネジアンカー穴は、前記プレキャストコンクリート版の手摺側排水溝内に形成された、コンクリート版吊り上げ用アンカー穴であることを特徴とする請求項１に記載の手摺用仮設支柱。
【請求項３】
手摺桟を架設して仮設手摺の支柱を構成したことを特徴とする請求項１に記載の手摺用仮設支柱。
【請求項４】
下端のナットを、プレキャストコンクリート版の吊り治具が取り付けられた雄ネジアンカーボルトに螺着して前記プレキャストコンクリート版上に複数本を立設して、調整部材を介して前記プレキャストコンクリート版上に仮置きされた本設手摺の設置位置を保持させるようにしたことを特徴とする手摺用仮設支柱。
【請求項５】
雄ネジアンカーボルトは、前記プレキャストコンクリート版の手摺側排水溝内に形成された、コンクリート版吊り上げ用ボルトであることを特徴とする請求項４に記載の手摺用仮設支柱。
【考案の詳細な説明】
【技術分野】
【０００１】
本考案は手摺用仮設支柱に係り、特に中高層住宅に設置されるプレキャストコンクリート製バルコニーの本設手摺を、効率的かつ安全に取り付けることができるようにした手摺用仮設支柱に関する。
【背景技術】
【０００２】
従来、中高層住宅では、各住戸のバルコニーや外廊下の施工の迅速化のために、躯体側の出入り口の下梁上に一端を支持させて、下層側からパイプサポートなどの支保部材で支持させたハーフプレキャストコンクリート版からなるバルコニーを建物外部から吊り込んで取り付け、その後、躯体側鉄筋との連結配筋を行った後に、上面に現場打ちコンクリートを施工して、バルコニーや外廊下を完成させる構築工法が採用されている。
【０００３】
その際、本設手摺には各種のデザインの金属製品が後付けされることが多く、仮設として手摺の設置までの間、バルコニーの外側に仮設の落下防止柵などが必要になる場合がある。特許文献１は図５に示したように、地組み段階でバルコニー版に複数の枠状治具をアンカーボルト（図2中、符号２ａ）などで固定してそのバルコニー版を所定箇所に吊り込んだ後に、その枠状治具を利用してバルコニー版の外側端に本設手摺５を取り付けるようになっている。
【０００４】
また、本設手摺の設置位置となるバルコニー版に設けられた雌ネジアンカーを利用して仮設支柱を立設する考案も提案されている（特許文献２）。この考案では、支柱として単管パイプを利用し、このパイプ下端が挿入可能なスタンドとしての取付金具が利用される。この取付金具は、下端孔を介して雌ネジアンカーに固定される。
【先行技術文献】
【特許文献】
【０００５】
【特許文献１】特開２００１−２００６４０号公報
【特許文献２】実開平７−３２１１１号公報
【考案の概要】
【考案が解決しようとする課題】
【０００６】
ところで、特許文献１に開示された発明では、地組みの段階で枠状治具を取り付けるためにバルコニー版の所定位置にアンカーを設置し、ボルト締めなどを行う必要がある。その後、建物の所定階まで吊り上げ、躯体のバルコニー開口の所定位置にサポートなどを利用して据え付ける。このため、地組段階で枠状治具を取り付けるため、複数箇所のアンカー設置作業の前工程が必要になる。また、枠状治具を取り付けたバルコニー版は重ねて仮置きすることができないため、地上での仮置き場所を大きく確保する必要があるという問題がある。
【０００７】
特許文献２に開示された考案では、本設手摺の取付位置に取付金具を設置するため、本設手摺を支持する際に仮設手摺を置き換えるために撤去しなければならない。そのため、本設手摺の脚部を固定するための支柱としての機能を果たすことができない。そこで、本考案の目的は上述した従来の技術が有する問題点を解消し、バルコニー版を所定位置に吊り込んで設置した直後に、吊り込みのために利用した吊り点のアンカーを利用して設置可能な仮設手摺と、本設手摺の支柱としての機能を果たすことができる手摺用仮設支柱を提供することにある。
【課題を解決するための手段】
【０００８】
上記目的を達成するために、本考案は下端の固定ボルトを、プレキャストコンクリート版の吊り治具が取り付けられた雌ネジアンカー穴に螺着して前記プレキャストコンクリート版上に複数本を立設して、調整部材を介して前記プレキャストコンクリート版上に仮置きされた本設手摺の設置位置を保持させるようにしたことを特徴とする。
【０００９】
このとき、雌ネジアンカー穴は、前記プレキャストコンクリート版の手摺側排水溝内に形成された、コンクリート版吊り上げ用アンカー穴であることが好ましい。
【００１０】
手摺桟を架設して仮設手摺の支柱を構成したことを特徴とする請求項１に記載の手摺用仮設支柱。
【００１１】
下端のナットを、プレキャストコンクリート版の吊り治具が取り付けられた雄ネジアンカーボルトに螺着して前記プレキャストコンクリート版上に複数本を立設して、調整部材を介して前記プレキャストコンクリート版上に仮置きされた本設手摺の設置位置を保持させるようにしたことを特徴とする手摺用仮設支柱。
【００１２】
雄ネジアンカーボルトは、前記プレキャストコンクリート版の手摺側排水溝内に形成された、コンクリート版吊り上げ用ボルトであることが好ましい。
【考案の効果】
【００１３】
以上に述べた構成からなる本考案によれば、バルコニー版を所定位置に吊り込んだ後に、迅速に仮設手摺を設置することで、墜落防止の対策をとることができるという効果を奏する。また、別の階での施工に転用が容易に行えるため、少ない部材数で複数箇所の施工に対応することができ、仮設費の低減につながるという効果もある。
【図面の簡単な説明】
【００１４】
【図１】本考案の手摺用仮設支柱をバルコニー版に取り付けた状態を示した説明図。
【図２】手摺用仮設支柱を用いて仮設手摺および養生工を施工した例を示した説明図。
【図３】手摺用仮設支柱の全体構成および分解した状態を示した斜視図。
【図４】手摺用仮設支柱のバルコニー版のアンカー穴への取り付け状態を示した斜視図。
【図５】仮設支柱をネット支柱として適用した例を示した説明図。
【図６】バルコニー版の平面図、バルコニー版の吊り込み作業状態を模式的に示した説明図。
【考案を実施するための形態】
【００１５】
以下、本考案の手摺用仮設支柱の実施するための形態として、以下の実施例について添付図面を参照して説明する。
【実施例】
【００１６】
図１は、建物のバルコニー開口の梁Ｂ上に吊り込まれた、バルコニー版として工場で製造されたハーフプレキャストコンクリート版１（以下、ＰＣａ版と略記する。）と、このＰＣａ版１の排水溝４位置に立設された、本考案の手摺用仮設支柱１０を示している。このＰＣａ版（以下、バルコニー版）１は、本実施例では、図６（ａ）の模式平面図、同図（ｂ）に示したように、通常の工事では、４箇所の吊り点２，３を用いて、建物の所定箇所に吊り込む。これらの吊り点２，３は、図６（ｂ）に示したように、本設手摺側は排水溝４に設けられたホールインアンカーにアイボルトを螺着した吊り点２からなり、躯体側はＰＣａ版から突出した鉄筋を利用した吊り点３となっている。同図（ａ）に示したように、４点の吊り点２，３に吊りワイヤ５を、図示しないシャックルなどで取り付けてクレーンなどの揚重機を用いて躯体の所定階のバルコニー開口まで吊り込む。なお、施工上の迅速化のために、図６（ｂ）に示したように、バルコニー版１を吊り込む際に、本設手摺７をアンカー穴に仮保持させておき、バルコニー版の設置と同時に各バルコニー位置に本設手摺７を搬入するようにしている。
【００１７】
図１は、躯体のバルコニー開口の梁側面の切欠部に一端が設置され、図示しないパイプサポートで下層のバルコニー位置から支持されたバルコニー版１を示している。このバルコニー版１には、図６（ａ）に示した排水溝の所定位置に設けられていたアンカーの雌ネジアンカー穴９に、図３（ａ）に示した仮設支柱１０を螺着した状態を示している。なお、図１では、図の簡単化のために本設手摺７（図２参照）の図示を省略している。
【００１８】
以下、仮設支柱１０の構成について、図３（ａ），図３（ｂ）を参照して説明する。仮設支柱１０は、本実施例では、下端の固定部１１と柱パイプ１２と防護キャップ１３とからなる。固定部１１は同図（ｂ）に示したように、鋼板製のベースプレート１４とその中央部にボルト孔（図示せず）をあけてボルト頭１５ａをベースプレート１４に溶接してなる固定ボルト１５からなる。本実施例では、固定ボルト１５として、突き出し長３０mmの六角頭ボルト（Ｍ１６）が用いられている。さらに、このベースプレート１４の上面には柱パイプ１２の下端が溶接接合されている。柱パイプ１２としては、仮設足場材として汎用的に用いられている単管パイプを使用している。柱パイプ１２の外径は、単管パイプの標準サイズであるφ４８．６mmまたはφ４２．７mmに設定されている。長さは任意に設定できるが、本設手摺７（図２）を確実に保持するために、１４００mm程度を確保することが好ましい。また、頂部には単管端部の防護キャップ１３が装着されており、支柱位置の視認性の向上や接触時の安全確保が図られている。図３（ｂ）は図３（ａ）の仮設支柱１１の分解斜視図である。ベースプレート１４と支柱１２下端は溶接され、柱頂部には樹脂製防護キャップ１３が脱着自在に嵌め込まれる。また、柱上部には後述するロッド挿通孔１５が形成されている。
【００１９】
図３（ｃ）は、他の実施例として、中央にボルト径より大きい孔（図示せず）が形成されたベースプレート１４にナット１６を溶接したタイプを示している。この実施例では、アンカー部分が雌ネジ穴でなく、アンカーボルトが突設されたような場合に、そのボルトに螺合可能なナット１６を仮設支柱１０の下端に取り付けて立設させる。
【００２０】
図４は、仮設支柱１０の取り付け方法の一例を示した作業説明図である。仮設支柱１０の上部にはロッド挿通孔１７が周面の対向位置に形成されており、所定径以下の直棒２０を図４（ｂ）に示したように、挿通することができる。直棒２０としてはロッド挿通孔１７の直径以下の鉄筋棒などを利用することができる。支柱１０に取り付けた直棒２０を矢印方向に回転させることで、わずかな回転力で、容易に仮設支柱１０のボルト１５のネジ１５ｂをバルコニー版１のアンカー穴９に螺合させることができる。
【００２１】
図２はバルコニー版１上に立設された仮設支柱１０を用いて、バルコニー上の養生を行った状態を示した模式説明図である。まず、この仮設支柱１０と本設手摺７との間につなぎ材２１を配置して本設手摺７の設置位置を確保する。そして、本設手摺７の下端を支持しているアンカー穴９内に無収縮モルタルなどの固化材料を充填して本設手摺７を固定する。その際、固化材料が完全に固化し、本設手摺７が自立するまでの間、仮設支柱１０で位置保持することができる。また、仮設支柱１０の所定位置に直交クランプ２２を取り付け、手摺桟２３を架設し、仮設手摺としての役割も果たしている。このときバルコニー版１の長さが長い場合には、図６（ａ）に示したような中間アンカー用のインサート２４を設けることにより、中間位置で手摺桟を保持することも好ましい。なお、手摺としての構造上、仮設支柱１０下端に所定高さの幅木２５を巡らせることが好ましい。これにより、バルコニー上の物の落下防止を図ることができる。
【００２２】
図１，図２に示したように、仮設支柱１０の設置位置は、バルコニー版１の手摺立ち上げ部の内側に形成された排水溝４の位置であるため、ハーフＰＣａ版の上側に施工される現場打ちコンクリートの配筋作業、コンクリート打設作業は、全く支障無く行うことができる。
【００２３】
図５は、仮設支柱１０の他の適用例を示したバルコニーの断面図である。同図には腰壁もＰＣａ版で一体製作されたバルコニー部分が示されている。このとき、バルコニー内のタイル貼り作業などの安全確保のために、開口部を落下防止用ネットで覆うことがある。その場合に腰壁３０の天端３０ａにインサートなどを設置し、所定長さの仮設支柱１０を固定することで、腰壁３０上に支柱１０を立設する。そして支柱１０の外面にネット３１を展開し、各支柱１０部分でネット３１を固定し、落下防止用ネットとして機能させることができる。
【符号の説明】
【００２４】
１  バルコニー版
２，３  吊り点
４  排水溝
７  本設手摺
９  アンカー穴
１０  仮設支柱
１２  柱パイプ
１４  ベースプレート
１５  固定ボルト
１６  ナット
【図１】
0003149454.tif 000003
【図２】
0003149454.tif 000004
【図３】
0003149454.tif 000005
【図４】
0003149454.tif 000006
【図５】
0003149454.tif 000007
【図６】
0003149454.tif 000008